(57)【要約】【課題】αブレンドを用いずに視認性に優れた表示を行う「オンスクリーンディスプレイ装置」を提供する。【解決手段】ＯＳＤ表示制御部１は、文字色レジスタ３１にＯＳＤ画像の文字色を設定し、所定のブレンドレベルＢＬを出力する。一致検出部３２は、ＯＳＤ画像画素値と文字色レジスタ３１の値との一致／不一致を透過率制御部３３に出力する。透過率制御部３３は、入力が不一致であった場合、ブレンドレベルＢＬの値を、そのまま透過率制御信号ＴＰとして出力し、入力が一致であった場合には、ＯＳＤ表示制御部１から入力するブレンドレベルＢＬの値から所定値を減じた値を透過率制御信号ＴＰとして出力する。混合処理部４は、透過率制御信号ＴＰは値が大きいほど、ＯＳＤ画像の透明度を高くして、ＯＳＤ画像をベース画像上に重畳表示する。【選択図】図１
2006003790.tif 000002
【特許請求の範囲】
【請求項１】
ベース画像の一部に副画像を重畳表示するオンスクリーンディスプレイ装置であって、
前記副画像の各画素値が、予め設定された画素値である設定画素値と一致するかどうかを検出する一致検出手段と、
前記副画像の各画素に、当該画素とベース画像の画素との混合比率を、前記設定画素値と画素値が一致した画素に設定される混合比率と、前記設定画素値と画素値が一致しなかった画素に設定する混合比率が異なる値となるように設定する混合比率設定手段と、
前記副画像の各画素を、当該画素に設定された混合比率でベース画像の画素と混合して出力する混合手段とを有することを特徴とするオンスクリーンディスプレイ装置。
【請求項２】
請求項１記載のオンスクリーンディスプレイ装置であって、
前記混合比率設定手段は、前記設定画素値と画素値が一致した前記副画像の画素に設定する混合比率を、前記設定画素値と画素値が一致しなかった前記副画像の画素に設定する混合比率よりも、前記混合手段における前記副画像の画素の混合の割合が大きくなるように設定することを特徴とするオンスクリーンディスプレイ装置。
【請求項３】
請求項１または２記載のオンスクリーンディスプレイ装置であって、
前記混合比率設定手段に複数の透明レベルのうちの一つの透明レベルを選択的に指定する制御装置を有し、
前記混合比率設定手段は、前記設定画素値と画素値が一致した前記副画像の画素に設定する混合比率と、前記設定画素値と画素値が一致しなかった前記副画像の画素に設定する混合比率とを、指定された透明レベルが小さいほど、前記混合手段における前記副画像の画素の混合の割合が大きくなるように変化させることを特徴とするオンスクリーンディスプレイ装置。
【請求項４】
請求項１記載のオンスクリーンディスプレイ装置であって、
前記混合比率設定手段に複数の透明レベルのうちの一つの透明レベルを選択的に指定する制御装置を有し、
前記混合比率設定手段は、前記設定画素値と画素値が一致した前記副画像の画素に設定する混合比率と、前記設定画素値と画素値が一致しなかった前記副画像の画素に設定する混合比率とを、指定された透明レベルが小さいほど、前記混合手段における前記副画像の画素の混合の割合が大きくなるように変化させ、
前記透明レベルは、前記混合比率設定手段が、前記設定画素値と画素値が一致しなかった前記副画像の画素に設定する混合比率が前記混合手段における前記副画像の画素の混合の割合が１００％未満となる透明レベルである１００％未満透明レベルを含み、
前記混合比率設定手段は、前記１００％未満透明レベルが指定されている場合には、前記設定画素値と画素値が一致した前記副画像の画素に設定する混合比率を、前記設定画素値と画素値が一致しなかった前記副画像の画素に設定する混合比率よりも、前記混合手段における前記副画像の画素の混合の割合が大きくなるように設定することを特徴とするオンスクリーンディスプレイ装置。
【請求項５】
請求項４記載のオンスクリーンディスプレイ装置であって、
前記制御部は、前記副画像の表示開始時に、前記混合比率設定手段に設定する透明レベルを漸減することにより、前記副画像のフェードイン表示を行うことを特徴とするオンスクリーンディスプレイ装置。
【請求項６】
請求項４または５記載のオンスクリーンディスプレイ装置であって、
前記制御部は、前記副画像の表示終了時に、前記混合比率設定手段に設定する透明レベルを漸増することにより、前記副画像のフェードアウト表示を行うことを特徴とするオンスクリーンディスプレイ装置。
【発明の詳細な説明】
【技術分野】
【０００１】
本発明は、表示装置に表示する主たる画像の一部に、テロップや字幕、表示装置の設定メニューなどの他の画像を重畳して表示するオンスクリーンディスプレイに関するものである。
【背景技術】
【０００２】
表示装置に表示する主たる画像の一部に、テロップや字幕、表示装置の設定メニューなどの他の画像を重畳して表示するオンスクリーンディスプレイを行う技術としては、αブレンドと呼ばれる技術が知られている。
以下、説明の便宜上、表示装置に表示する主たる画像を「ベース画像」、このベース画像の一部に重畳する画像を「ＯＳＤ画像」と呼ぶことにする。
αブレンドは、ベース画像上のＯＳＤ画像の配置領域内に、ベース画像の配置領域内の画像部分と当該配置領域に配置するＯＳＤ画像とをａ：（１ーａ）の比率で混合した画像を表示することにより、あたかもＯＳＤ画像が半透明であり、その後ろのベース画像が透けて見えるかのように、ＯＳＤ画像をベース画像上に表示する技術である。また、このαブレンドの技術では、ＯＳＤ画像の各画素毎に、ベース画像との混合比率（透明度）を、αチャネルレイヤデータと呼ばれるデータによって制御することができるようになっている。
【０００３】
なお、このようなαブレンドの技術を応用した技術としては、ＯＳＤ画像の配置領域内のベース画像の画素の輝度を低下させることにより、ベース画像による、ＯＳＤ画像中で不透明に表示される文字部分の視認性の劣化を抑制せんとする技術などが知られている（たとえば、特許文献１）。
【特許文献１】特開平11-146275号公報
【発明の開示】
【発明が解決しようとする課題】
【０００４】
前述したαブレンドによるＯＳＤ画像表示の技術では、ＯＳＤ画像とベース画像の混合比率を画素毎に自由に制御できるため、視認性や装飾性に優れたオンスクリーンディスプレイを行うことができる。
しかし、この技術によれば、ベース画像とＯＳＤ画像の他に、ＯＳＤ画像の各画素の透明度を制御するαチャネルレイヤデータを取り扱った処理を行う必要があるために、高解像度でオンスクリーンディスプレイを行う場合などには、オンスクリーンディスプレイのための処理量が過大となることがある。また、ＯＳＤ画像の他に、αチャネルレイヤデータを予め作成し、ベース画像やＯＳＤ画像と共に、オンスクリーンディスプレイを行う装置に供給する必要もある。
【０００５】
そこで、本発明は、視認性や装飾性に優れたオンスクリーンディスプレイを、画素毎に透明度を制御するデータを用いない構成によって実現することを課題とする。
【課題を解決するための手段】
【０００６】
前記課題達成のために、本発明は、ベース画像の一部に副画像を重畳表示するオンスクリーンディスプレイ装置を、前記副画像の各画素値が、予め設定された画素値である設定画素値と一致するかどうかを検出する一致検出手段と、前記副画像の各画素に、当該画素とベース画像の画素との混合比率を、前記設定画素値と画素値が一致した画素に設定される混合比率と、前記設定画素値と画素値が一致しなかった画素に設定される混合比率が異なる値となるように設定する混合比率設定手段と、前記副画像の各画素を、当該画素に設定された混合比率でベース画像の画素と混合して出力する混合手段とを備えて構成したものである。以下、このように構成したオンスクリーンディスプレイ装置を第１のオンスクリーンディスプレイ装置と呼ぶ。
【０００７】
さて、このような第１のオンスクリーンディスプレイ装置によれば、αブレンドのαチャネルデータのような画素毎に透明度を制御するデータを用いることなく、副画像の画素の透明度を画素毎に、その画素値に応じて制御することができるようになる。したがって、これを利用して、より視認性や装飾性に優れたオンスクリーンディスプレイを行うことができるようになる。
【０００８】
より具体的には、このような第１のオンスクリーンディスプレイ装置は、たとえば、前記混合比率設定手段において、前記設定画素値と画素値が一致した前記副画像の画素に設定する混合比率を、前記設定画素値と画素値が一致しなかった前記副画像の画素に設定する混合比率よりも、前記混合手段における前記副画像の画素の混合の割合が大きくなるように設定するように構成してもよい。
【０００９】
そして、このようにすることにより、たとえば、前記設定画素値として副画像において文字色として用いる色の画素値を設定すれば、副画像中の文字については比較的低い透明度でくっきりと表示しつつ、副画像中の文字の背景部分については比較的高い透明度として、ベース画像がある程度透けて見えるように表示することができる。
【００１０】
なお、以上のオンスクリーンディスプレイ装置は、さらに、前記混合比率設定手段に複数の透明レベルのうちの一つの透明レベルを選択的に指定する制御装置を設け、前記混合比率設定手段において、前記設定画素値と画素値が一致した前記副画像の画素に設定する混合比率と、前記設定画素値と画素値が一致しなかった前記副画像の画素に設定する混合比率とを、指定された透明レベルが小さいほど、前記混合手段における前記副画像の画素の混合の割合が大きくなるように変化させるようにしてもよい。
【００１１】
このようにすることにより、より多様な、または、柔軟性に優れたオンスクリーンディスプレイを実現することができるようになる。
または、上記した第１のオンスクリーンディスプレイ装置に、前記混合比率設定手段に複数の透明レベルのうちの一つの透明レベルを選択的に指定する制御装置を設け、前記混合比率設定手段において、前記設定画素値と画素値が一致した前記副画像の画素に設定する混合比率と、前記設定画素値と画素値が一致しなかった前記副画像の画素に設定する混合比率とを、指定された透明レベルが小さいほど、前記混合手段における前記副画像の画素の混合の割合が大きくなるように変化させ、前記混合手段における前記副画像の画素の混合の割合が１００％未満となる混合比率を前記混合比率設定手段において前記設定画素値と画素値が一致しなかった前記副画像の画素に設定することを指定する透明レベルが指定されている場合には、前記設定画素値と画素値が一致した前記副画像の画素に設定する混合比率を、前記設定画素値と画素値が一致しなかった前記副画像の画素に設定する混合比率よりも、前記混合手段における前記副画像の画素の混合の割合が大きくなるように設定するようにしてもよい。
【００１２】
このようにすることにより、前記制御部は、たとえば、前記副画像の表示開始時に、前記混合比率設定手段に設定する透明レベルを漸減することにより、前記副画像のフェードイン表示を行うことができるようになる。また、前記副画像の表示終了時に、前記混合比率設定手段に設定する透明レベルを漸増することにより、前記副画像のフェードアウト表示を行うことができるようになる。
【００１３】
また、このフェードイン表示やフェードアウト表示を装飾性に優れたものとすることができる。すなわち、たとえば、前記設定画素値に副画像において文字色として用いる色の画素値を設定すれば、文字の顕現に文字の背景部分の顕現が遅れる形態で、少しずつ副画像が明瞭化する、装飾性に優れたフェードイン表示や、文字の背景部分の消退に文字の消退が遅れる形態で、少しずつ副画像が消去される、装飾性に優れたフェードアウト表示が実現される。
【発明の効果】
【００１４】
以上のように、本発明によれば、視認性や装飾性に優れたオンスクリーンディスプレイを、画素毎に透明度を制御するデータを用いない構成によって実現することができる。
【発明を実施するための最良の形態】
【００１５】
以下、本発明の実施形態について説明する。
図１に、本実施形態に係るオンスクリーンディスプレイ装置の構成を示す。
図示するように、オンスクリーンディスプレイ装置は、ＯＳＤ表示制御部１、ＯＳＤ画像生成部２、ブレンド制御部３、混合処理部４、遅延処理部５とを有する。また、ブレンド制御部３は、文字色レジスタ３１、一致検出部３２、透過率制御部３３とを有している。
【００１６】
このような構成において、ＯＳＤ画像生成部２は、ＯＳＤ表示制御部１から指示された内容を持つＯＳＤ画像を生成しＯＳＤ画像を表すＯＳＤ画像信号を出力する。ここで、オンスクリーンディスプレイ装置には、外部よりベース画像となるビデオ信号であるベース画像信号と、ベース画像信号の水平／垂直同期信号であるベース画像同期信号が入力している。そして、ＯＳＤ画像生成部２は、外部から入力するベース画像同期信号に同期して、ＯＳＤ表示制御部１から指示されたＯＳＤ画像配置領域のベース画像の部分を表すベース画像信号が入力するタイミングで、ＯＳＤ画像を出力する。また、ＯＳＤ画像生成部２は、ＯＳＤ画像信号を出力している間、ＯＳＤエリア信号を混合処理部４に出力する。
【００１７】
次に、混合処理部４は、ベース画像信号とＯＳＤ画像信号を入力し、ベース画像信号とＯＳＤ画像信号を混合して、表示画像信号として出力する。また、混合処理部４は、以下のようにベース画像信号とＯＳＤ画像信号の混合比率を制御する。すなわち、ＯＳＤ画像生成部２からＯＳＤエリア信号が出力されていない期間の、ベース画像信号とＯＳＤ画像信号の混合比率は、ベース画像１００％、ＯＳＤ画像０％とする。また、ＯＳＤ画像生成部２からＯＳＤエリア信号が出力されている期間のベース画像信号とベース画像信号の混合比率は、ブレンド制御部３から指示された透過率制御信号ＴＰに従った混合比率とする。
【００１８】
次に、遅延処理部５は、混合処理部４における処理遅延分、ベース画像同期信号を遅延し、混合処理部４が出力する表示画像信号の同期信号として出力するものである。
そして、ブレンド制御部３は、ＯＳＤ表示制御部１が文字色レジスタ３１に設定した、ＯＳＤ画像において文字色として用いる色を表す画素値と、ＯＳＤ表示制御部１が指定するブレンドレベルＢＬと、ＯＳＤ画像生成部２が出力するＯＳＤ画像信号を用いて、混合処理部４におけるＯＳＤ画像信号とベース画像信号の混合比率を、ＯＳＤ画像の画素毎に透過比率制御信号ＴＰによって指定する。
【００１９】
ここで、図２aに混合処理部４の構成例を示す。
図示するように、混合処理部４は、たとえば、マスク制御部４１、マスク回路４２、加算器４３とより構成することができる。
マスク回路４２には、ＯＳＤ画像信号Ｘ０、ＯＳＤ画像信号の画素値を１／２とした１／２ＯＳＤ画像信号Ｘ１、ＯＳＤ画像信号の画素値を１／４とした１／４ＯＳＤ画像信号Ｘ２、ＯＳＤ画像信号の画素値を１／８とした１／８ＯＳＤ画像信号Ｘ３、ＯＳＤ画像信号の画素値を１／１６とした１／１６ＯＳＤ画像信号Ｘ４が入力する。また、マスク回路４２には、ベース画像信号Ｙ０、ベース画像信号の画素値を１／２とした１／２ベース画像信号Ｙ１、ベース画像信号の画素値を１／４とした１／４ベース画像信号Ｙ２、ベース画像信号の画素値を１／８とした１／８ベース画像信号Ｙ３、ベース画像信号の画素値を１／１６とした１／１６ベース画像信号Ｙ４が入力する。
【００２０】
ここで、各画像信号の２のｎ乗の除算は、画像信号がデジタル信号である場合には、画素データを下位側に、ｎビット、ビットシフトすることにより実現することができる。たとえば、８ビットが画素データの、２ー８ビットを１ー７ビットとし８ビット目を０とすれば、画素データの２の除算が実現できる。
【００２１】
さて、マスク回路４２は、以上のＸ０〜Ｘ４、Ｙ０〜Ｙ４の１０個の入力信号のそれぞれに１対１に対応する１０個の出力Ｄ０〜Ｄ９を持ち、各出力に、対応する入力信号か画素値０を表す信号のいずれかを、マスク制御部４１の制御に従って選択的に出力する。
そして、マスク回路４２から出力された１０の出力信号Ｄ０〜Ｄ９は加算器４３において加算され、表示画像信号として出力される。
このようなマスク回路４２と加算器４３の構成によれば、図２ｂに示すように、ＯＳＤ画像画素：ベース画像画素＝１００％：０％からＯＳＤ画像画素：ベース画像画素＝０％：１００％までの、１７段階の混合比率によるベース画像の画素とＯＳＤ画像の画素との混合が実現できる。
【００２２】
なお、図２ｂにおいて、列２０１から２０５、列２０６〜２１０の行範囲２００の各升は、マスク回路４２が行２１１に示した出力Ｄ０〜Ｄ９に出力する値を表しており、黒塗の升は値０の画素を表す信号を出力することを表している。
そして、列２２１の各行はその行の出力の組み合わせによって実現されるＯＳＤ画像画素の混合比率を、列２２２はその行の出力の組み合わせによってベース画像画素の混合比率を表している。
そして、列２３１の各行は、その行の出力の組み合わせによって実現される、ＯＳＤ画像画素とベース画像画素との混合比率を指定するために、ブレンド制御部３が出力する透過率制御信号ＴＰの値を示したものである。
さて、マスク制御部４１は、前述のようにＯＳＤ画像生成部２からＯＳＤエリア信号が出力されていない期間は、混合比率がＯＳＤ画像画素：ベース画像画素＝０％：１００％となるようにマスク回路４２の動作を制御する。すなわち、図２ｂの行２４１で示される出力をマスク回路４２に行わせる。
【００２３】
一方、マスク制御部４１は、ＯＳＤ画像生成部２からＯＳＤエリア信号が出力されている期間は、ブレンド制御部３から指示された透過比率制御信号ＴＰに従って、ブレンド制御部３から指示された透過比率制御信号ＴＰの値（０〜１６）に対応する図２ｂの行で示される出力をマスク回路４２に行わせる。
【００２４】
さて、図１に戻り、ブレンド制御部３は、以下のようにＯＳＤ表示制御部１が文字色レジスタ３１に設定したＯＳＤ画像において文字色として用いる色を表す画素値と、ＯＳＤ表示制御部１が指定するブレンドレベルＢＬと、ＯＳＤ画像生成部２が出力するＯＳＤ画像信号を用いて、混合処理部４におけるＯＳＤ画像信号とベース画像信号の混合比率を、ＯＳＤ画像の画素毎に透過率制御信号ＴＰによって指定する。ここで、ブレンド制御部３は、ブレンドレベルＢＬとして０〜１６までの値を出力する。
【００２５】
すなわち、一致検出部３２は、ＯＳＤ画像信号が表す画素値と文字色レジスタ３１に設定された画素値とを比較し、その一致／不一致を透過率制御部３３に出力する。なお、文字色レジスタ３１は、複数の画素値をＯＳＤ表示制御部１が複数の画素値を設定できるように構成し、一致検出部３２において、ＯＳＤ画像信号が表す画素値が、文字色レジスタ３１に設定された複数の画素値のうちのいずれかに一致した場合に一致を、他の場合に不一致を透過率制御部３３に出力するようにしてもよい。このようにすることにより、ＯＳＤ画像において、複数の文字色を用いることもできるようになる。
さて、透過率制御部３３は、ＯＳＤ表示制御部１から入力するブレンドレベルＢＬと、一致検出部３２から入力する一致／不一致に応じて、混合処理部４に出力する透過率制御信号ＴＰを、図３に示す表に従って変化させる。
【００２６】
すなわち、透過率制御部３３は、一致検出部３２からの入力が不一致であった場合、したがって、ＯＳＤ画像生成部２が出力中のＯＳＤ画像信号が表すＯＳＤ画像の画素が文字を構成する画素でない場合には、ＯＳＤ表示制御部１から入力するブレンドレベルＢＬの値を、そのまま透過率制御信号ＴＰとして出力する。
一方、透過率制御部３３は、一致検出部３２からの入力が一致であった場合、したがって、ＯＳＤ画像生成部２が出力中のＯＳＤ画像信号が表すＯＳＤ画像の画素が文字を構成する画素である場合には、ＯＳＤ表示制御部１から入力するブレンドレベルＢＬの値から８を減じた値を透過率制御信号ＴＰとして出力する。ただし、ブレンドレベルＢＬの値から８を減じた値が透過率制御信号ＴＰの最小値０より小さい場合には、透過率制御信号ＴＰとして０を出力する。
【００２７】
この結果、図３に示したように、ＯＳＤ画像中の文字を構成しない画素のベース画像との混合比率は、ブレンドレベルＢＬによって１７段階に制御される。また、ＯＳＤ画像中の文字を構成する画素のベース画像との混合比率は、１００％を越えない範囲において、ＯＳＤ画像中の文字を構成しない画素よりも５０％大きくなるように制御される。
【００２８】
さて、ＯＳＤ表示制御部１の、オンスクリーンディスプレイを行う場合の動作は、たとえば、以下のようになる。
すなわち、ＯＳＤ表示制御部１は、まず、ブレンド制御部３の文字色レジスタ３１に、表示しようとするＯＳＤ画像において文字色として用いる色を表す画素値を設定し、ブレンドレベルＢＬとして値４を出力する。そして、ＯＳＤ画像生成部２に、生成すべきＯＳＤ画像の内容の指示と、ベース画像上のＯＳＤ画像配置領域を指示する。
【００２９】
これにより、本オンスクリーンディスプレイ装置から出力される表示画像信号が表す画像は、ベース画像の上に、ＯＳＤ画像が、文字以外の部分についてはベース画像画素とＯＳＤ画像画素との混合比率が２５％：７５％で、文字部分についてはベース画像画素とＯＳＤ画像画素との混合比率が０％：１００％で表示されたものとなる（図３、ブレンドレベルＢＬ＝４の行参照）。
【００３０】
ここで、オンスクリーンディスプレイ装置から出力される表示画像信号が表す画像の例を図４aに示す。
図示するように、この画像では、ベース画像４０の上に、ＯＳＤ画像４１が表示されている。そして、ＯＳＤ画像４１の文字部分４１１は明らかに不透明（ベース画像画素とＯＳＤ画像画素との混合比率＝０％：１００％）に表示され、かつ、ＯＳＤ画像４１の文字以外の文字の背景部分４１２は、その下のベース画像４０が透けて見えるように半透明（ベース画像画素とＯＳＤ画像画素との混合比率＝２５％：７５％）で表示されている。
【００３１】
ここで、図４ｂは、ベース画像４０の上に、ＯＳＤ画像４１の全てを不透明（ベース画像画素とＯＳＤ画像画素との混合比率＝０％：１００％）に表示した場合の画像を示しており、図示するように、この場合は、文字部分４１１はくっきりと視認性良く表示されるが、ＯＳＤ画像４１の全体において、その下のベース画像４０を全く視認することができない。一方、図４ｃは、ベース画像４０の上に、ＯＳＤ画像４１の全てを同じ混合比率（ベース画像画素とＯＳＤ画像画素との混合比率が２５％：７５％）によって半透明に表示した場合の画像を示しており、図示するように、この場合は、ＯＳＤ画像４１の全体で、その下のベース画像４０が透けて見えるようになるが、ＯＳＤ画像４１の文字４１１の視認性が、その下のベース画像４１によって幾分劣化している。
【００３２】
さて、ＯＳＤ表示制御部１は、オンスクリーンディスプレイの開始時後に、少しずつＯＳＤ画像をベース画像上に表していくフェードイン表示や、オンスクリーンディスプレイの終了時に、すこしずつＯＳＤ画像をベース画像上から消去していくフェードアウト表示の制御も行うことができる。
【００３３】
すなわち、フェードイン表示を行う場合、ＯＳＤ表示制御は以下の動作を行う。すなわち、ＯＳＤ表示制御部１は、まず、ブレンド制御部３の文字色レジスタ３１に表示しようとするＯＳＤ画像において文字色として用いる色を表す画素値を設定し、ブレンドレベルＢＬとして値１６を出力する。そして、ＯＳＤ画像生成部２に、生成すべきＯＳＤ画像の内容の指示と、ベース画像上のＯＳＤ画像配置領域を指示する。そして、以降、図３に矢印３０１で示したように、ブレンドレベルＢＬの値を１６から、ブレンドレベルＢＬの値が４になるまで、定期的に、１ずつ減少していく。
【００３４】
また、フェードアウト表示を行う場合、ＯＳＤ表示制御は以下の動作を行う。すなわち、ＯＳＤ表示制御部１は、図３に矢印３０２で示したように、ブレンドレベルＢＬの値が１６になるまで、定期的に、ブレンドレベルＢＬの値を４から１ずつ増加していく。そして、ＯＳＤ画像生成部２に、ＯＳＤ画像の生成を終了させる。
【００３５】
ただし、通常のオンスクリーンディスプレイをブレンドレベルＢＬの値を０として行うようにしてもよく、この場合には、フェードイン表示では、ブレンドレベルＢＬの値を１６から、ブレンドレベルＢＬの値が０になるまで、定期的に、１ずつ減少していくようにし、フェードアウト表示では、ブレンドレベルＢＬの値が１６になるまで、定期的に、ブレンドレベルＢＬの値を０から１ずつ増加していくようにしてもよい。
【００３６】
さて、図５ａ、ｂは、０〜１６までのブレンドレベルＢＬによる、表示画像の例を示したものである。
図ａ、ｂ中、Ｃが本実施形態による表示画像の例であり、Ａは、ＯＳＤ画像の文字部分についても文字以外の部分と同じ混合比率を適用するようにした場合、すなわち、一致検出部３２で常に不一致が検出される場合と同様の表示画像の例であり、Ｂは、ＯＳＤ画像の文字部分についてのベース画像画素とＯＳＤ画像画素との混合比率を０％：１００％に固定した場合の表示画像の例である。
【００３７】
図中Ａ、Ｂとの比較より理解されるように、本実施形態のフェードイン表示によれば、文字の顕現に文字の背景部分の顕現が遅れる形態で、少しずつＯＳＤ画像が明瞭化する、装飾性に優れたフェードイン表示が実現される。また、本実施形態のフェードアウト表示によれば、文字の背景部分の消退に文字の消退が遅れる形態で、少しずつＯＳＤ画像が消去される、装飾性に優れたフェードアウト表示が実現される。
【００３８】
以上、本発明の実施形態について説明した。
以上のように、本実施形態によれば、視認性や装飾性に優れたオンスクリーンディスプレイを、αブレンドのαチャネルデータのように画素毎に透明度を制御するデータを用いない構成によって実現することができる。
【図面の簡単な説明】
【００３９】
【図１】本発明の実施形態に係るオンスクリーンディスプレイ装置の構成を示すブロック図である。
【図２】本発明の実施形態に係る混合処理部の構成例を示す図である。
【図３】本発明の実施形態に係るブレンド制御部の透過率制御部の出力を示す図である。
【図４】本発明の実施形態に係るオンスクリーンディスプレイ装置の表示画像例を示す図である。
【図５】本発明の実施形態に係るオンスクリーンディスプレイ装置の表示画像とブレンドレベルとの関係を示す図である。
【符号の説明】
【００４０】
１…ＯＳＤ表示制御部、２…ＯＳＤ画像生成部、３…ブレンド制御部、４…混合処理部、５…遅延処理部、３１…文字色レジスタ、３２…一致検出部、３３…透過率制御部、４１…マスク制御部、４２…マスク回路、４３…加算器。
【図１】
2006003790.tif 000003
【図２】
2006003790.tif 000004
【図３】
2006003790.tif 000005
【図４】
2006003790.tif 000006
【図５】
2006003790.tif 000007